(57)【特許請求の範囲】
【請求項１】
工業化住宅の鉄筋コンクリート基礎に設ける地下構造の梁（１）、フーチングもしくはスラブ（２、３）又は壁（４）を設計する工業化住宅の基礎及び地下構造の一体型構造の設計方法であって、
前記梁（１）、フーチングもしくはスラブ（２、３）又は壁（４）として、工業化住宅の基礎のアンカーボルト（７）を有する立上部（１ａ）を設けたせいと幅の異なる複数の梁（１）の断面形状、或いは厚さの異なる複数のフーチングもしくはスラブ（２、３）又は壁（４）の断面形状を設定すると共に、前記各梁（１）、各フーチングもしくはスラブ（２、３）又は各壁（４）の断面形状毎にアンカーボルト（７）、立上補強筋（８）又は鉄筋（５）の干渉を防止する配置、鉄筋径及びピッチを設定し、
更に、前記梁（１）に対して立上部（１ａ）が偏心する偏心梁又は立上部（１ａ）が同心である同心梁を設定して、
前記設定した梁（１）、フーチングもしくはスラブ（２、３）又は壁（４）毎に許容剪断力又は許容曲げモーメントを算出しておき、
構造計算の結果算出された邸別の工業化住宅の基礎に設ける地下構造の梁、フーチングもしくはスラブ又は壁各部の剪断力又は曲げモーメントと、前記設定した梁（１）、フーチングもしくはスラブ（２、３）又は壁（４）の許容剪断力又は許容曲げモーメントを比較して、前記邸別の工業化住宅の基礎に設ける地下構造の梁、フーチングもしくはスラブ又は壁各部の剪断力又は曲げモーメントよりも大きい値の許容剪断力又は許容曲げモーメントを持つ梁（１）、フーチングもしくはスラブ（２、３）又は壁（４）を選択し、
選択された梁（１）、フーチングもしくはスラブ（２、３）又は壁（４）を組み合わせて基礎及び地下構造の一体型構造を設計することを特徴とする工業化住宅の基礎及び地下構造の一体型構造の設計方法。
【請求項２】
請求項１に記載した工業化住宅の鉄筋コンクリート基礎に設ける地下構造体の梁（１）、フーチングもしくはスラブ（２、３）又は壁（４）を設計する工業化住宅の基礎及び地下構造の一体型構造の設計に使用される図面セットであって、
前記梁（１）として、アンカーボルト（７）を有する工業化住宅の基礎の立上部（１ａ）を設けられたせいと幅の異なる複数の断面形状、或いは厚さの異なる複数のフーチングもしくはスラブ（２、３）又は壁（４）の断面形状を設定すると共にアンカーボルト（７）、立上補強筋（８）又は鉄筋（５）の干渉を防止する配置、鉄筋径及びピッチを設定し、前記梁（１）に対して立上部（１ａ）が偏心する偏心梁又は立上部（１ａ）が同心である同心梁を設定し、
前記設定した梁（１）、フーチングもしくはスラブ（２、３）又は壁（４）毎に許容剪断力又は許容曲げモーメントを算出しておき、
前記設定した梁（１）の断面図と、梁（１）毎に断面寸法、鉄筋仕様、許容剪断力又は許容曲げモーメントを一体的に記載した梁数値表と、を有し
前記設定したフーチングもしくはスラブ（２、３）又は壁（４）の断面図と、フーチングもしくはスラブ（２、３）又は壁（４）毎に断面寸法、鉄筋仕様又は許容曲げモーメントを一体的に記載したフーチングもしくはスラブ及び壁数値表と、を有することを特徴とする工業化住宅の基礎及び地下構造の一体型構造の設計に使用される図面セット。
【発明の詳細な説明】
【０００１】
【発明の属する技術分野】
本発明は工業化住宅の基礎と地下室に代表される地下構造を一体化させた基礎及び地下構造の一体型構造を設計する際の方法と、前記設計方法を支援する図面セットとに関するものである。
【０００２】
【従来の技術】
プレハブ住宅は工業化された生産システムによって製造された多数の部材を利用して建築される低層建築物（以下「工業化住宅」という）である。工業化住宅は、居住性や耐久性の向上をはかり、且つ長寿命化に伴う間仕切の自由度の向上を実現するための合理的な建築構造の追求、更に、コストの低減等を主眼として開発されている。
【０００３】
最近では、顧客の多様な要求に対応し得るように、間取りや構造、外観性能等に異なる仕様を持った多機種の工業化住宅が提供されている。これらの工業化住宅であっても、低層建築物であることから総重量が小さく、基礎構造に対する負担荷重は小さい。このため、敷地の地耐力の変化が基礎構造に与える影響が小さい。
【０００４】
一方、地下室が容積率に算入されないことから、地下室を設けた工業化住宅の需要も増加しているが、未だ絶対数は多いものではない。従って、住宅に於ける地下一体構造はプレハブ化されておらず、またそもそも鉄筋コンクリート（ＲＣ）構造はプレハブ化になじまないものである。このため、工業化住宅の設計者はＲＣ造の構築物を設計するのに慣れているとはいえないのが実情である。
【０００５】
【発明が解決しようとする課題】
上記の如く、工業化住宅の基礎構造は、該工業化住宅の重量が小さいことから小さくてすむため、前記重量や敷地の地耐力に対し過品質なものが設計されることがある。この場合、コスト的に不利になるため、基礎構造を建築すべき工業化住宅に対し適正なように設計すると、こんどは基礎梁の厚さが薄くなって配筋し難くなり、現場に於ける作業性が損なわれるという問題が生じることがある。
【０００６】
また基礎と地下室が一体化された構造体を設計する場合、梁やフーチング或いはスラブ及び壁は互いに複雑に関連付けられており、これらを一体化させるための鉄筋が複雑に縦横に配筋されることなる。しかし、工業化住宅の設計者はＲＣ造の設計に対し充分な経験がなく、且つＲＣ造のビルは通常４階〜５階建て以上なので、種々の公的な設計指針を適用して設計することが出来るが、上部構造が工業化住宅である基礎と地下室が一体化された構造体は、構造物としてはたかだか１階分の大きさしかないため、前記した公的な設計指針が適用出来ないケースが一般である。このため、ややもすると、鉄筋の配筋量とコンクリート厚さのバランスの悪い不合理な基礎構造が設計される虞がある。
【０００７】
例えば、掘削土砂量を増加させると掘削費や残土処理費が増加するため、コンクリート厚さを増加させることなく鉄筋の増加のみによって構造耐力を向上させるように設計することがあり、この場合、コンクリート厚に比較して鉄筋の配筋量が多くなり過ぎ、結果的に梁，壁，スラブに於ける配筋ピッチが小さくなって配筋作業の作業性を阻害したり、特に梁どうしの交差部に於ける鉄筋の納まりが複雑になって作業性が悪くなったり、鉄筋のかぶり厚がとれなくなるという問題や、最悪の場合には鉄筋自体を設置し得ないという問題が生じる。
【０００８】
また多くの設計者が互いに独立して基礎構造或いは基礎と地下室が一体化した構造体の設計を進めるため、邸毎に設計者の個性が反映することとなり、統一した思想に基づく相関性を持った構造体として構成されていないという問題を派生している。
【０００９】
更に、基礎構造或いは基礎と地下室とが一体化した構造体を構成する梁と上部構造とを接続するためのアンカー鉄筋との関係は、該アンカー鉄筋と梁の鉄筋とが良好に接続されることが必要であるが、両者の関係位置を明確にしておかない場合、現場で配筋作業を実施する際に円滑な接続が困難になることがあるという問題が生じ、場合によっては、アンカー鉄筋自体が設置し得なくなるという問題も生じる。
【００１０】
本発明の目的は、統一した思想に基づく合理的な基礎と地下構造の一体型構造を簡単に設計することを実現した工業化住宅の基礎及び地下構造の一体型構造の設計方法と、この設計方法を支援することが出来る図面セットとを提供することにある。
【００１１】
【課題を解決するための手段】
また本発明に係る工業化住宅の基礎及び地下構造の一体型構造の設計方法は、工業化住宅の鉄筋コンクリート基礎に設ける地下構造の梁（１）、フーチングもしくはスラブ（２、３）又は壁（４）を設計する工業化住宅の基礎及び地下構造の一体型構造の設計方法であって、前記梁（１）、フーチングもしくはスラブ（２、３）又は壁（４）として、工業化住宅の基礎のアンカーボルト（７）を有する立上部（１ａ）を設けたせいと幅の異なる複数の梁（１）の断面形状、或いは厚さの異なる複数のフーチングもしくはスラブ（２、３）又は壁（４）の断面形状を設定すると共に、前記各梁（１）、各フーチングもしくはスラブ（２、３）又は各壁（４）の断面形状毎にアンカーボルト（７）、立上補強筋（８）又は鉄筋（５）の干渉を防止する配置、鉄筋径及びピッチを設定し、更に、前記梁（１）に対して立上部（１ａ）が偏心する偏心梁又は立上部（１ａ）が同心である同心梁を設定して、前記設定した梁（１）、フーチングもしくはスラブ（２、３）又は壁（４）毎に許容剪断力又は許容曲げモーメントを算出しておき、構造計算の結果算出された邸別の工業化住宅の基礎に設ける地下構造の梁、フーチングもしくはスラブ又は壁各部の剪断力又は曲げモーメントと、前記設定した梁（１）、フーチングもしくはスラブ（２、３）又は壁（４）の許容剪断力又は許容曲げモーメントを比較して、前記邸別の工業化住宅の基礎に設ける地下構造の梁、フーチングもしくはスラブ又は壁各部の剪断力又は曲げモーメントよりも大きい値の許容剪断力又は許容曲げモーメントを持つ梁（１）、フーチングもしくはスラブ（２、３）又は壁（４）を選択し、選択された梁（１）、フーチングもしくはスラブ（２、３）又は壁（４）を組み合わせて基礎及び地下構造の一体型構造を設計することを特徴とするものである。
【００１２】
上記工業化住宅の基礎及び地下構造の一体型構造の設計方法（以下「一体基礎設計方法」という）は、予め異なる仕様を持った複数の工業化住宅を想定して各工業化住宅毎の一体基礎を構成する梁，フーチング或いはスラブ及び壁に対し、梁の場合はせいと幅からなる断面形状と該断面形状の中に配筋される鉄筋の径とピッチからなる配筋量を設定すると共に上部構造体を接続するアンカー鉄筋との関係を偏心梁とするか同心梁とするかを設定し、フーチング又はスラブ及び壁の場合は厚さからなる断面形状と該断面形状の中に配筋される鉄筋の径とピッチからなる配筋量を設定する。
【００１３】
上記の如くして設定された梁の断面形状，配筋量、及びフーチング又はスラブ及び壁の断面形状，配筋量は異なる仕様を持った工業化住宅毎に夫々異なるものの、予めこれらを設定する段階で、梁，フーチング，スラブ，壁の各断面形状に対して作業性を阻害することなく且つかぶり厚が適切な配筋量を設定することが出来、更に、梁とフーチング或いはスラブ及び壁との交差部位に於ける鉄筋の接続を良好に収めることが出来る配筋量を設定することが出来る。
【００１４】
上記の如く、梁の変数としては、せい，幅，鉄筋径，ピッチ，偏心梁，同心梁となり、これらを組み合わせることで、複数の梁を構成することが出来る。同様に、フーチング，スラブ，壁の変数は、厚さ，鉄筋径，ピッチとなり、これらを組み合わせることで、複数のフーチング，スラブ，壁を構成することが出来る。従って、上記組み合わせによる梁及びフーチング，スラブ，壁毎に、夫々許容剪断力，許容曲げモーメントを算出しておくことが出来る。
【００１５】
目的の工業化住宅の基礎構造を設計する場合、該目的の工業化住宅の構造計算を行なって各部の応力を算出し、夫々算出された応力を満足する許容剪断力及び、又は許容曲げモーメントを発揮し得る梁及びフーチング或いはスラブ及び壁を選択し、選択された各梁及びフーチング或いはスラブ及び壁を組み合わせることで、目的の工業化住宅に最適な基礎構造を設計することが出来る。従って、工業化住宅を異なる設計者が設計した場合であっても、統一された設計思想の基に、合理的な基礎構造を容易に設計することが出来る。
【００１６】
また工業化住宅の基礎及び地下構造の一体型構造の設計に使用される図面セットは、上記した工業化住宅の鉄筋コンクリート基礎に設ける地下構造体の梁（１）、フーチングもしくはスラブ（２、３）又は壁（４）を設計する工業化住宅の基礎及び地下構造の一体型構造の設計に使用される図面セットであって、前記梁（１）として、アンカーボルト（７）を有する工業化住宅の基礎の立上部（１ａ）を設けられたせいと幅の異なる複数の断面形状、或いは厚さの異なる複数のフーチングもしくはスラブ（２、３）又は壁（４）の断面形状を設定すると共にアンカーボルト（７）、立上補強筋（８）又は鉄筋（５）の干渉を防止する配置、鉄筋径及びピッチを設定し、前記梁（１）に対して立上部（１ａ）が偏心する偏心梁又は立上部（１ａ）が同心である同心梁を設定し、前記設定した梁（１）、フーチングもしくはスラブ（２、３）又は壁（４）毎に許容剪断力又は許容曲げモーメントを算出しておき、前記設定した梁（１）の断面図と、梁（１）毎に断面寸法、鉄筋仕様、許容剪断力又は許容曲げモーメントを一体的に記載した梁数値表と、を有し、前記設定したフーチングもしくはスラブ（２、３）又は壁（４）の断面図と、フーチングもしくはスラブ（２、３）又は壁（４）毎に断面寸法、鉄筋仕様又は許容曲げモーメントを一体的に記載したフーチングもしくはスラブ及び壁数値表と、を有して構成されるものである。
【００１７】
上記工業化住宅の基礎及び地下構造の一体型構造（以下「一体基礎」という）の設計用図面セット（以下「一体基礎図面セット」という）では、予め異なる仕様を持った複数の工業化住宅を想定し、各工業化住宅毎の一体基礎を構成する梁に対し、せいと幅からなる断面形状と該断面形状の中に配筋される鉄筋の径とピッチからなる配筋量を設定すると共に上部構造体を接続するアンカー鉄筋との関係を偏心梁とするか同心梁とするかを設定することで、異なる仕様を持った工業化住宅の一体基礎に対応した断面形状と配筋量を有し、且つ偏心梁或いは同心梁として設定された複数の梁を設定することが出来る。
【００１８】
上記梁は、せい，幅，鉄筋径，ピッチが夫々変数となるため、これらの中から選択した断面形状と配筋量を持った梁の断面図を作成して梁断面図とし、更に、例えばせいを定数とし且つ幅を変数とした断面形状を設定し、且つ配筋量を示す複数の代表的な梁断面図を作成することが出来る。
【００１９】
また異なるせい，幅を持った梁と夫々の梁に対する配筋量が設定されることによって、個々の梁が有する許容剪断力と許容曲げモーメントを算出することが出来る。従って、設定された梁毎にせい，幅からなる断面寸法，鉄筋仕様，許容剪断力及び許容曲げモーメントの値を一体的に記載した梁数値表を作成することが出来る。
【００２０】
上記の如くして作成した梁断面図と梁数値表を並べて記載しておくことで、目的の工業化住宅の一体基礎を設計する際に、該工業化住宅の構造計算を行なって梁の応力を算出したとき、算出した応力を満足する許容剪断力と許容曲げモーメントを上記梁数値表から選択することで、梁の断面形状と配筋量を設計することが出来る。
【００２１】
また一体基礎を構成するフーチング或いはスラブ及び壁に対し、梁の場合と同様に、厚さからなる断面形状と該断面形状に配筋される鉄筋径，ピッチからなる配筋量を設定することで、異なる仕様を持った工業化住宅の基礎構造に対応した断面形状と配筋量を有する複数のフーチング或いはスラブ及び壁を設定することが出来る。
【００２２】
上記フーチング，スラブ，壁は厚さ，鉄筋径，ピッチが夫々変数となるため、これらの中から選択した断面形状と配筋量を持ったフーチング，スラブ，壁の断面図を作成してフーチング，スラブ，壁断面図（以下「スラブ断面図」という）を作成することが出来る。
【００２３】
また異なる厚さを持ったフーチング，スラブ，壁と夫々のフーチング，スラブ，壁に対する配筋量が設定されることによって、個々のスラブ，スラブ，壁が有する許容曲げモーメントを算出することが出来る。従って、設定されたフーチング，スラブ，壁毎に厚さからなる断面寸法，鉄筋仕様，許容曲げモーメントの値を一体的に記載したフーチング，スラブ，壁数値表（以下「スラブ数値表」という）を作成することが出来る。
【００２４】
上記の如くして作成したスラブ断面図とスラブ数値表を並べて記載しておくことで、目的の工業化住宅の一体基礎を設計する際に、該工業化住宅の構造計算を行なってフーチング，スラブ，壁の応力を算出したとき、算出した応力を満足する許容曲げモーメントを上記スラブ数値表から選択することで、フーチング，スラブ，壁の断面形状と配筋量を設計することが出来る。
【００２５】
従って、上記梁断面図，梁数値表，スラブ断面図，スラブ数値表を１枚の図面に記載しておくことで、目的の工業化住宅の一体基礎を設計するにあたり、構造計算を行なって各部を応力を算出した後、上記基礎図面セットを参照して算出した数値を満足する許容剪断力及び、又は許容曲げモーメントを発揮し得る梁とフーチング，スラブ，壁を選択すると共に組み合わせることで、目的の一体基礎を設計することが出来る。
【００２６】
【発明の実施の形態】
本発明に係る一体基礎の設計方法は基礎と地下室や地下車庫等とが一体的に構成された地下構造を設計する方法であり、予め異なる仕様を持った工業化住宅に対応させて、異なる断面形状と配筋量とを持った梁，フーチング，スラブ，壁毎に複数のパターンを設定すると共に個々のパターン毎の許容剪断力及び許容曲げモーメントを算出しておき、実際の基礎構造を設計するにあたって、目的の工業化住宅の構造計算を行なって各部の応力を算出し、この算出結果を満足する許容剪断力及び許容曲げモーメントを持つパターンを選択することで、必要な断面形状と配筋量を持った梁及びフーチング又はスラブ及び壁の組み合わせからなる一体基礎を設計するものである。
【００２７】
先ず、図１，２により一体基礎Ａの構成について説明する。図に於いて、一体基礎Ａは、工業化住宅の基礎構造Ｂと地下室Ｃ（図１参照）或いは地下車庫Ｄ（図２（ａ），（ｂ）参照）等の地下構造が一体化されたものである。このため、一体基礎Ａは、梁１と、フーチング２又は耐圧スラブ３ａ、天井スラブ３ｂ及び壁４によって構成される。
【００２８】
尚、図１はドライエリアＥを有する地下室Ｃと基礎構造Ｂとが一体化された一体基礎Ａを示すものであり、ドライエリアＥの耐圧スラブ３ａと地下室Ｃの耐圧スラブ３ａに作用する荷重は大きさが異なる。また図２は一方側に開口部Ｆを有する地下車庫Ｄと基礎構造Ｂが一体化された一体基礎Ａを示しており、地下車庫Ｄの耐圧スラブ３ａには略均等に荷重が作用する。
【００２９】
先ず、一体基礎Ａに於ける梁１の設計方法について説明する。地下室Ｃや地下車庫Ｄ等の地下構造の場合、梁１としては、天井部分に構成された基礎構造Ｂに配置され工業化住宅の躯体を構成する柱を直接又は間接的に取り付ける機能を有するものと、地盤に接地した基礎として配置され主として工業化住宅の荷重からなる鉛直荷重及び水平荷重を地盤に伝える機能を有するものとがある。
【００３０】
梁１は、せい（高さ）と幅（厚さ）からなる矩形断面或いは長方形断面を有しており、この断面内に鉄筋５が配筋されている。梁１の断面形状は、鉄筋５の配筋量に対応して設定されている。そして、梁１の許容剪断力及び許容曲げモーメントは、梁１の断面形状及び寸法と、該梁１に配筋された鉄筋５の径とピッチからなる配筋量に応じて決定される。
【００３１】
特に、梁１に対する配筋量を設定するに際しては、鉄筋５を配筋する際の作業の容易さ、目的の梁１に交差する他の梁１やフーチング２又は耐圧スラブ３ａ，天井スラブ３ｂ及び壁４に配筋された鉄筋５との接続が円滑に且つ確実に行なえること、梁１に配筋された鉄筋５に対するコンクリートのかぶり厚が充分であること、等の条件を満足することが必要である。
【００３２】
例えば、梁１と壁４とが交差する部位では、梁１に配筋された鉄筋５と壁４に配筋された鉄筋５とを補助筋（定着筋）６を介して接続することとなるが、この補助筋６を壁４に配筋された鉄筋５との干渉を防止し得るように配筋することは配筋作業の作業性を向上させる上で重要である。またかぶり厚は部位により異なるが、図に示す梁１の場合、公的指針（ＪＡＳＳ５）により５０mm以上に設定するように定められている。
【００３３】
このため、せい及び幅からなる梁１の断面形状が設定されたとき、各断面形状毎に、上記各条件を満足する配筋量，かぶり厚を設定することが可能である。即ち、予め目的の梁１に接続される他の梁１やフーチング２或いは耐圧スラブ３ａ，天井スラブ３ｂ及び壁４の厚さや配筋量を想定して、断面形状及び配筋量を設定しておくことが可能である。
【００３４】
梁１は全くの前提なしに設定されるものではなく、上部構造が工業化住宅であることを想定している。このため、階層（２階建て，３階建て等）、面積、構造（躯体構造，壁材，床構造等）等に代表される仕様が異なる複数の工業化住宅を想定すると共に、これらの工業化住宅の一体基礎Ａを想定し、個々の工業化住宅の一体基礎Ａを構成する梁１を上記条件を満足するように設計することが可能である。
【００３５】
このとき、梁１の断面形状を規定するせい，幅、配筋量となる鉄筋径，ピッチが夫々変数となる。このため、設計者が異なる場合、断面形状や配筋量を設定する際に設計者の個性が反映して多様なものが設計され得る。しかし、前記変数は互いに全く独立したものではなく、配筋量と断面形状とは相互に密接な関連性を有する。このため、同一の設計者によって設計することで、仕様の異なる工業化住宅の一体基礎Ａを構成する梁１を幾つかの標準的な梁１に集約することが可能である。
【００３６】
即ち、異なる仕様を持った複数の工業化住宅の一体基礎Ａ毎に対応して設定された梁１から、工業化住宅を前提とした標準化をはかることが可能であり、標準化した梁１を複数のパターンに表すことが可能となる。そして、標準化された梁１に対し、個々の梁１が有する許容剪断力及び許容曲げモーメントを計算することが可能である。
【００３７】
特に、基礎構造Ｂを構成する梁１（工業化住宅の躯体を取り付ける梁）と図１に示す地下室ＣとドライエリアＥとの境界に配置される梁１（基礎梁）とでは機能が異なるため、断面形状や配筋量が異なるのが一般的である。しかし、何れの梁１であっても設計手順が異なるものではなく、上記手順を経ることで夫々の機能を発揮し得る梁１を設計すると共に、梁１を複数のパターン化して許容剪断力及び許容曲げモーメントを計算することが可能である。
【００３８】
上記の如く、基礎構造Ｂに対応する梁１に工業化住宅の躯体を構成する柱を取り付ける場合があろ。この場合、梁１の鉄筋５に図示しない柱を取り付けるための複数のアンカーボルト７が配置され、該アンカーボルト７の間に複数（２本）の縦筋８ａと横筋８ｂからなる立上補強筋８が設けられる（図３参照）。
【００３９】
１本の柱に対応させたアンカーボルト７，立上補強筋８の間隔はメーカーによっては規格化されているのが一般的である。しかし、これらの間隔は梁１に於ける鉄筋５のピッチとは関連性がなく、互いに独立した寸法を有する。このため、梁１に配筋された鉄筋５の径や配筋のピッチによっては、鉄筋５とアンカーボルト７，立上補強筋８が干渉してしまう虞がある。
【００４０】
即ち、梁１に配置された鉄筋５が奇数本である場合、図３（ａ）に示すように、立上補強筋８の横筋８ｂを梁１の中心から外側に向けるか、同図（ｂ）に示すように、横筋８ｂを梁１の中心側に向けるかを選択することで、梁１の立上り部１ａを偏心した状態で、或いは同心状でも、鉄筋５とアンカーボルト７，立上補強筋８との干渉を防止することが可能である。
【００４１】
しかし、梁１に配置される鉄筋５の数が偶数本である場合、梁１の立上ａ部１ａを同心状に設置するために立上補強筋８を梁１の中央に配置しようとすると、梁１の中央部分に配置された２本の鉄筋５と干渉してしまうという問題が生じる。従って、梁１の立上り部１ａを偏心させることで、図３（ａ）に示すように、該立上り部１ａを構成する複数の縦筋８ａを、梁１の幅方向の端部側に配置された鉄筋５の両側に設置し、これにより、立上補強筋８の鉄筋５に対する干渉を防止することが可能となる。このように、梁１を偏心梁とすることによって、梁１に配置された鉄筋５の数が偶数であるか、奇数であるかに関わらず、立上補強筋８の縦筋８ａの鉄筋５に対する干渉を防止することが可能である。
【００４２】
更に、上記の如く梁１を偏心梁とするか或いは同心梁とするかは、梁１の断面形状と鉄筋５の径とピッチ、及びアンカーボルト７の間隔，立上補強筋８を考慮して選択することが可能である。
【００４３】
上記の如くして、異なるせいと幅からなる幾つかの断面形状を持ち、且つ各断面形状に応じた配筋パターンと該配筋パターンを構成する鉄筋径とピッチからなる配筋量が設定され、夫々の組み合わせに対応した許容剪断力と許容曲げモーメントが算出される。
【００４４】
従って、設計者が目的の工業化住宅を構成する一体基礎Ａの梁１を設計する場合、工業化住宅の構造計算の結果から、梁１に作用する応力を算出し、この値に基づいて目的の梁が保持すべき剪断力と負担すべき曲げモーメントを算出して上記予め算出されている許容剪断力と許容曲げモーメントと比較し、算出された目的の梁１の剪断力と曲げモーメントの値よりも大きい許容剪断力と許容曲げモーメントを発揮し得る梁１を選択することで、目的の工業化住宅の一体基礎Ａを構成する梁１を設計することが可能となる。
【００４５】
従って、これらの複数の梁１のパターンを図表化（梁断面図，梁数値表）しておくことで、設計標準として用いることが可能である。尚、特に複雑な交差部では、鉄筋５が干渉しないことを図面上で確認しておいても良い。
【００４６】
次に、フーチング２又は耐圧スラブ３ａ，天井スラブ３ｂの設計方法について説明する。フーチング２又は耐圧スラブ３ａ，天井スラブ３ｂは、夫々厚さからなる断面形状を有しており厚さに沿って鉄筋５が配筋される。ここで、フーチング２，耐圧スラブ３ａ，天井スラブ３ｂに対する設計方法は実質的に同一であるため、一例として耐圧スラブ３ａの設計方法について説明する。また耐圧スラブ３ａの設計手順は、前述した梁１の手順と略同一に進行される。
【００４７】
耐圧スラブ３ａは梁１と同様に、異なる仕様を持った工業化住宅の一体基礎Ａに対応して設定されており、断面形状と、鉄筋径とピッチからなる配筋量は、夫々充分なかぶり厚を保証することが可能で、且つ隣接する他の部位（梁１，壁４）と接続される交差部に配筋される鉄筋５が互いに干渉して支障を来すことなく、円滑な接続を保証し得るように設定されている。
【００４８】
耐圧スラブ３ａは、工業化住宅及び地下室Ｃや地下車庫Ｄの荷重からなる鉛直荷重及び水平荷重を支持し地盤に伝達する機能を有し、主として曲げモーメントに対抗する。このため、耐圧スラブ３ａは、梁１を設計する際に設定された異なる仕様を持った複数の工業化住宅の一体基礎Ａを構成する個々の耐圧スラブ３ａに対応して設計される。
【００４９】
即ち、耐圧スラブ３ａの断面形状は、鉄筋５の配筋量に対応して設定され、許容曲げモーメントは、耐圧スラブ３ａの断面形状及び寸法と、該耐圧スラブ３ａに配筋された鉄筋５の径とピッチからなる配筋量に応じて決定される。前記配筋量を設定するに際しては、鉄筋５を配筋する際の作業の容易さ、目的の耐圧スラブ３ａに交差する他の梁１や壁４に配筋された鉄筋５との接続が円滑に且つ確実に行なえること、配筋された鉄筋５に対するコンクリートのかぶり厚が充分であること、等の条件を満足することが必要である。
【００５０】
このため、厚さからなる耐圧スラブ３ａの断面形状が設定されたとき、各断面形状毎に、上記各条件を満足する配筋量，かぶり厚を設定することが可能である。即ち、予め目的の耐圧スラブ３ａに接続される他の梁１や壁４の厚さや配筋量を想定して、断面形状及び配筋量が設定される。
【００５１】
耐圧スラブ３ａは上部構造が工業化住宅であるため、階層（２階建て，３階建て等）、面積、構造（躯体構造，壁材，床構造等）等に代表される仕様が異なる複数の工業化住宅を想定すると共に、これらの工業化住宅の一体基礎Ａを想定し、個々の工業化住宅の一体基礎Ａを構成する耐圧スラブ３ａを上記条件を満足するように設計される。
【００５２】
このとき、耐圧スラブ３ａの断面形状を規定する厚さ、配筋量となる鉄筋径，ピッチが夫々変数となるが、前記変数は互いに全く独立したものではなく、配筋量と断面形状とは相互に密接な関連性を有するため、同一の設計者によって設計することで、仕様の異なる工業化住宅の一体基礎Ａを構成する耐圧スラブ３ａを幾つかの標準的なものに集約することが可能である。
【００５３】
即ち、異なる仕様を持った複数の工業化住宅の一体基礎Ａ毎に対応して設定された耐圧スラブ３ａから、工業化住宅を前提とした標準化をはかることが可能であり、標準化した耐圧スラブ３ａを複数のパターンに表すことが可能となる。そして、標準化された耐圧スラブ３ａに対し、個々の耐圧スラブ３ａが有する許容曲げモーメントを計算することが可能である。
【００５４】
従って、設計者が目的の工業化住宅を構成する一体基礎Ａの耐圧スラブ３ａを設計する場合、工業化住宅の構造計算の結果から、耐圧スラブ３ａに作用する応力を算出し、この値に基づいて目的の耐圧スラブが負担すべき曲げモーメントを算出して上記予め算出されている許容曲げモーメントと比較し、算出された目的の耐圧スラブ３ａの曲げモーメントの値よりも大きい許容曲げモーメントを発揮し得る耐圧スラブ３ａを選択することで、目的の工業化住宅の一体基礎Ａを構成する耐圧スラブ３ａを設計することが可能となる。
【００５５】
地下室Ｃ，地下車庫Ｄに配置される耐圧スラブ３ａには工業化住宅の荷重に代表される鉛直荷重が作用するため、荷重を地盤に伝えるフーチングとしての機能を発揮することとなり断面形状や配筋量が異なるのが一般的である。
【００５６】
また天井スラブ３ｂであっても、設計手順が異なるものではなく、上記手順を経ることで夫々の機能を発揮し得る天井スラブ３ｂを設計することが可能である。
【００５７】
従って、これらの耐圧スラブ３ａ，天井スラブ３ｂを含む複数のスラブ３のパターンを図表化（スラブ断面図，スラブ数値表）しておくことで、設計標準として用いることが可能である。
【００５８】
次に、壁４の設計方法について説明する。この壁４は厚さからなる断面形状を有しており厚さに沿って鉄筋５が配筋される。特に、壁４の設計手順は、前述した梁１，スラブ３の手順と略同一の手順で進行する。
【００５９】
壁４は梁１と同様に、異なる仕様を持った工業化住宅の一体基礎Ａに対応して設定されており、断面形状と、鉄筋径とピッチからなる配筋量は、夫々充分なかぶり厚を保証することが可能で、且つ隣接する他の部位（梁１，スラブ３）と接続される交差部に配筋される鉄筋５が互いに干渉して支障を来すことなく、円滑な接続を保証し得るように設定されている。
【００６０】
壁４は、工業化住宅に作用する水平荷重を支持し地盤に伝達する機能と、周囲の土による片土圧を支持する機能とを有し、主として前記力による曲げモーメントに対抗する。このため、壁４は、梁１を設計する際に設定された異なる仕様を持った複数の工業化住宅の一体基礎Ａを構成する個々の壁４に対応して設計される。
【００６１】
即ち、壁４の断面形状は、鉄筋５の配筋量に対応して設定され、許容曲げモーメントは、断面形状及び寸法と、配筋された鉄筋５の径とピッチからなる配筋量に応じて決定される。前記配筋量を設定するに際しては、鉄筋５を配筋する際の作業の容易さ、目的の壁４に交差する他の梁１やスラブ３に配筋された鉄筋５との接続が円滑に且つ確実に行なえること、配筋された鉄筋５に対するコンクリートのかぶり厚が充分であること、等の条件を満足することが必要である。
【００６２】
このため、厚さからなる壁４の断面形状が設定されたとき、各断面形状毎に、上記各条件を満足する配筋量，かぶり厚を設定することが可能である。即ち、予め目的の壁４に接続される他の梁１やスラブ３の厚さや配筋量を想定して、断面形状及び配筋量が設定される。
【００６３】
壁４は上部構造が工業化住宅であるため、階層（２階建て，３階建て等）、面積、構造（躯体構造，壁材，床構造等）等に代表される仕様が異なる複数の工業化住宅を想定すると共に、これらの工業化住宅の一体基礎Ａを想定し、個々の工業化住宅の一体基礎Ａを構成する壁４を上記条件を満足するように設計される。
【００６４】
このとき、壁４の断面形状を規定する厚さ、配筋量となる鉄筋径，ピッチが夫々変数となるが、前記変数は互いに全く独立したものではなく、配筋量と断面形状とは相互に密接な関連性を有するため、同一の設計者によって設計することで、仕様の異なる工業化住宅の一体基礎Ａを構成する壁４を幾つかの標準的なものに集約することが可能である。
【００６５】
特に、一体基礎Ａが図１に示す地下室Ｃである場合、壁４は一般的に壁式構造として設計され、一体基礎Ａが図２に示す地下車庫Ｄである場合、壁４は一般的にボックスカルバート構造として設計される。このため、地下室Ｃと地下車庫Ｄでは壁４の負担する荷重が異なり、これに伴って厚さ及び配筋量が変化することとなる。しかし、夫々の壁４に対する設計は上記手順に従って進行させることが可能である。
【００６６】
即ち、異なる仕様を持った複数の工業化住宅の一体基礎Ａ毎に対応して設定された壁４から、工業化住宅を前提とした標準化をはかることが可能であり、標準化した壁４を複数のパターンに表すことが可能となる。そして、標準化された壁４に対し、個々の壁４が有する許容曲げモーメントを計算することが可能である。
【００６７】
従って、設計者が目的の工業化住宅を構成する一体基礎Ａの壁４を設計する場合、工業化住宅の構造計算の結果から、壁４に作用する応力を算出し、この値に基づいて目的のスラブが負担すべき曲げモーメントを算出して上記予め算出されている許容曲げモーメントと比較し、算出された目的の壁４の曲げモーメントの値よりも大きい許容曲げモーメントを発揮し得る壁４を選択することで、目的の工業化住宅の一体基礎Ａを構成する壁４を設計することが可能となる。
【００６８】
従って、これらの複数の壁４のパターンを図表化しておくことで、設計標準として用いることが可能である。
【００６９】
上記の如く、予め異なる仕様を持った複数の工業化住宅の一体基礎Ａを構成する梁１，フーチング２又はスラブ３、及び壁４を、断面形状と、夫々の断面形状に対応した配筋量とからなる幾つかのパターンを設定して各パターン毎の許容剪断力及び、又は許容曲げモーメントを算出しておき、実際に工業化住宅の一体基礎Ａを設計する際には、構造計算の結果から一体基礎Ａを構成する梁１，フーチング２，スラブ３，壁４に作用する応力を算出し、算出された応力から、梁１の場合には許容剪断力と許容曲げモーメントを満足するパターンを、フーチング２，スラブ３及び壁４の場合には許容曲げモーメントを満足するパターンを選択し、選択された各パターンを組み合わせることで、一体基礎Ａを設計することが可能である。
【００７０】
上記の如くして設計された一体基礎Ａは、目的の工業化住宅の一体基礎に対し最適なものではなく、多少過剰な性能を発揮し得るものである。しかし、目的の工業化住宅の一体基礎に対して最適設計を行なうのに必要な時間と労力を考慮したとき、多少性能が過剰であったとしてもコスト的に有利である。
【００７１】
また基礎構造と地下室或いは地下車庫が一体化した一体基礎Ａ以外の単なる基礎構造を設計する場合、即ち、本発明に係る基礎設計方法を実行する場合、目的の基礎構造が梁とフーチング又はスラブとによって構成されるものであれば、壁４を対象とする設計以外は、上記設計手順と同様の手順を経て設計することが可能である。
【００７２】
次に、本発明に係る一体基礎図面セットの構成について図４，図５を用いて説明する。図４は基礎構造Ｂと地下室ＣとドライエリアＥとによって構成された一体基礎Ａを対象とする一体基礎図面セット10ａであり、図１に対応するものである。また図５は基礎構造Ｂと地下車庫Ｄとによって構成された一体基礎Ａを対象とする一体基礎図面セット10ｂであり、図２に対応するものである。
【００７３】
図に示すように、各一体基礎図面セット10ａ，10ｂには、一体基礎Ａとして壁式構造地下室を構成する部位が開示されており、夫々部位毎に梁断面図，スラブ断面図と、夫々の断面図に対する配筋量と、断面形状，断面形状及び規定のかぶり厚から一義的に設定される鉄筋位置，配筋量との組み合わせに対応した許容曲げモーメント及び、又は許容剪断力からなる梁数値表，スラブ数値表が記載されている。
【００７４】
即ち、各一体基礎図面セット10ａ，10ｂの左上の部分には地下壁リスト11が記載され、左下の部分には１階スラブリスト12と耐圧スラブリスト13が記載されている。また右上の部分には１階梁リスト14が記載され、右下の部分には、地下室Ｃを対象とした一体基礎図面セット10ａでは基礎梁リスト15が記載されるものの、地下車庫Ｄを対象とした一体基礎図面セット10ｂには何ら記載されていない。
【００７５】
地下壁リスト11は地下室Ｃ，地下車庫Ｄを構成する壁４のパターンを記載する部位であり、壁４の断面形状の例と横筋の径とピッチを含む配筋の例を図面化して記載した図面部11ａと、表示項目が許容曲げモーメントであることを示す項目表示欄11ｂと、前記したように予め径とピッチが設定された横筋を有する壁４に配筋される異なる縦筋の径とピッチからなる複数の配筋パターンを記載した縦筋欄11ｃと、縦筋欄11ｃに記載された夫々の配筋パターンに於ける許容曲げモーメントの値を表示する曲げモーメント表示欄11ｄとによって構成されている。
【００７６】
例えば、地下室Ｃに対応する一体基礎図面セット10ａの例では、厚さが２２０mmであり、横筋径が１３mmでピッチが２００mmで配筋されている場合、径が１３mmの縦筋をピッチ１００mmで配筋した壁４では、１ｍ当たり３．６３ｔ・ｍ（トン・メートル）の許容曲げモーメントを有することが記載されている。また地下車庫Ｄに対応する一体基礎図面セット10ｂの例では、図面部11ｂには厚さの異なる３種類の図面が記載され夫々の断面に径が１３mmの副筋が２００mmのピッチで配筋されることが記載されている。
【００７７】
１階スラブリスト12は一体基礎Ａに於ける基礎構造Ｂに配置されるスラブ３のパターンを記載する部位であり、スラブ３の断面形状の例と副筋の径とピッチを記載した図面部12ａと、表示項目が許容曲げモーメントであることを示す項目表示欄12ｂと、主筋の径とピッチからなる複数の配筋パターンを記載した主筋方向欄12ｃと、許容曲げモーメントの値を記載した曲げモーメント表示欄12ｄとを有して構成されている。
【００７８】
例えば、一体基礎図面セット10ａの例では、図面部12ｂには１種類の断面形状と、副筋方向は主筋方向と同配筋である旨が表示されており、主筋方向欄12ｃには異なる径の縦筋とピッチからなる複数のパターンが記載され、曲げモーメント表示欄12ｄには夫々のパターンに対応した許容曲げモーメントが記載されている。しかし、一体基礎図面セット10ｂの例では、図面部12ｂには３種類の断面形状と副筋の径とピッチが記載され、更に、主筋方向欄12ｃには異なる径の縦筋とピッチからなる複数のパターンが記載され、曲げモーメント表示欄12ｄには夫々のパターンに対応した許容曲げモーメントが記載されている。
【００７９】
耐圧スラブリスト13は一体基礎Ａに於ける接地側に配置されるスラブ３（耐圧スラブ，フーチング２）のパターンを記載する部位であり、スラブ３の断面形状の例と副筋の径とピッチを記載した図面部13ａと、表示項目が許容曲げモーメントであることを示す項目表示欄13ｂと、主筋の径とピッチからなる複数の配筋パターンを記載した主筋方向欄13ｃと、許容曲げモーメントの値を記載した曲げモーメント表示欄13ｄとを有して構成されている。
【００８０】
耐圧スラブリスト13を構成する各部或いは表示欄の機能は、前述した１階スラブリスト12と同一であり、記載内容は異なる。例えば、一体基礎図面セット10ａの例では、図面部13ｂには１種類の断面形状と、副筋方向は主筋方向と同配筋である旨が表示されており、主筋方向欄13ｃには異なる径の縦筋とピッチからなる複数のパターンが記載され、曲げモーメント表示欄13ｄには夫々のパターンに対応した許容曲げモーメントが記載されている。また、一体基礎図面セット10ｂの例では、図面部13ｂには３種類の断面形状と副筋の径とピッチが記載され、更に、主筋方向欄13ｃには異なる径の縦筋とピッチからなる複数のパターンが記載され、曲げモーメント表示欄13ｄには夫々のパターンに対応した許容曲げモーメントが記載されている。
【００８１】
１階梁リスト14は一体基礎Ａに於ける基礎構造Ｂを構成する梁１のパターンを記載する部位であり、偏心させた立上り部を有し厚さの異なる複数の断面形状の例と夫々の断面形状に対応させて腹筋の数を含む配筋の例を図面化して記載した図面部14ａと、異なるせいに対応させた梁せい表示欄14ｂと、表示項目が許容曲げモーメントであることを示す項目表示欄14ｃと、予め径と数が設定された腹筋を有する梁１に配筋される異なる主筋の径と段数からなる複数の配筋パターンを記載した主筋欄14ｄと、主筋欄14ｄに記載された夫々の配筋パターンに於ける許容曲げモーメントの値を表示する曲げモーメント表示欄14ｅと、表示項目が許容剪断力であることを示す項目表示端14ｆと、主筋のピッチを表示する主筋ピッチ欄14ｇと、主筋ピッチに応じた許容剪断力の値を表示した剪断力表示欄14ｈと、によって構成されている。
【００８２】
例えば、一体基礎図面セット10ａの例では、図面部14ａには厚さの異なる４種類の梁が記載されており、夫々の梁毎に偏心した立上部が記載され、更に、主筋の配筋部位と数が記載されている。特に、梁の厚さが３００mmでせいが５００mm且つ径が１６mmの主筋が２段に配筋されている場合、１ｍ当たり８．２７ｔ・ｍの曲げモーメントを許容し得ることが記載され、また主筋のピッチが２００mmである場合、８．７１ｔの剪断力に耐え得ることが記載されている。また一体基礎図面セット10ｂの例では、前記一体基礎図面セット10ａの内容と略同一の内容が記載されている。
【００８３】
基礎梁リスト15は一体基礎Ａに於ける接地部に配置される梁１のパターンを記載する部位であり、地下室Ｃに対応する一体基礎図面セット10ａのみが対象となっている。この基礎梁リスト15の記載内容は、前述した１階梁リスト14の内容と同一である。
【００８４】
即ち、基礎梁リスト15は、厚さの異なる複数の断面形状の例と夫々の断面形状に対応させて腹筋の数を含む配筋の例を図面化して記載した図面部15ａと、せいに対応させた梁せい表示欄15ｂと、表示項目が許容曲げモーメントであることを示す項目表示欄15ｃと、予め径と数が設定された腹筋を有する梁１に配筋される異なる主筋の径と段数からなる複数の配筋パターンを記載した主筋欄15ｄと、主筋欄15ｄに記載された夫々の配筋パターンに於ける許容曲げモーメントの値を表示する曲げモーメント表示欄15ｅと、表示項目が許容剪断力であることを示す項目表示端15ｆと、主筋のピッチを表示する主筋ピッチ欄15ｇと、主筋ピッチに応じた許容剪断力の値を表示した剪断力表示欄15ｈと、によって構成されている。
【００８５】
上記の如く構成された一体基礎図面セット10ａ，10ｂでは、目的の工業化住宅に於ける一体基礎Ａの地下構造が地下室Ｃであるか、地下車庫Ｄであるかに応じて選択的に利用される。例えば、目的の工業化住宅の一体基礎Ａが地下室Ｃを有するものである場合、予め一体基礎図面セット10ａを選択しておき、また一体基礎Ａが地下車庫Ｄを有するものである場合、予め一体基礎図面セット10ｂを選択しておくことで、使用することが可能である。
【００８６】
そして、目的の工業化住宅の構造計算を行なって、梁１，フーチング２又はスラブ３，壁４に作用する応力、即ち、剪断力，曲げモーメントを算出する。例えば、基礎構造Ｂを構成する梁１に作用する剪断力が６．５ｔで曲げモーメントが７．５ｔ・ｍ／ｍであるような場合、これらの値を満足する梁として、せいが４５０mm、厚さが２５０mm、１９mmの径を持った主筋を２段に配筋するパターンを選択して梁１の設計を行なうことが可能である。
【００８７】
即ち、選択された梁１の許容剪断力は６．８７ｔであり、許容曲げモーメントは８．２７ｔ・ｍ／ｍである。このため、上記剪断力の値，曲げモーメントの値を充分に満足することが可能である。
【００８８】
同様にして地盤に接地する梁１に作用する剪断力及び曲げモーメントを算出し、一体基礎図面セット10ａに於ける基礎梁リスト15から、算出された夫々の値を満足する許容剪断力と許容曲げモーメントを発揮し得る梁の断面形状と配筋量を選択することで、目的の工業化住宅の一体基礎Ａを構成する梁１を設計することが可能である。
【００８９】
更に同様にして、壁４及び１階スラブ３，耐圧スラブ３に作用する曲げモーメントを算出し、一体基礎図面セット10ａに於ける地下壁リスト11，１階スラブリスト12，耐圧スラブリスト13から、すでに算出された夫々の値を満足する許容曲げモーメントを発揮し得る壁，スラブ，耐圧スラブの断面形状と配筋量を選択することで、目的の工業化住宅の一体基礎Ａを構成する壁４，スラブ３，耐圧スラブ３（フーチング２）を設計することが可能である。
【００９０】
従って、工業化住宅の一体基礎Ａを極めて容易に設計することが可能である。  図６は工業化住宅の基礎構造を設計する際に利用する基礎図面セット20の例を示すものである。
【００９１】
図に示す地中梁リスト21は、基礎梁に対し厚さとせいの異なる複数の断面形状の例と夫々の断面形状に対応させて腹筋の数を含む配筋の例を図面化して記載した図面部21ａと、表示項目が許容曲げモーメントであることを示す項目表示欄21ｂと、予め径と数が設定された腹筋を有する基礎梁に配筋される異なる主筋の径と段数からなる配筋パターンを記載した主筋欄21ｃと、主筋欄21ｃに記載された夫々の配筋パターンに於ける許容曲げモーメントの値を表示する曲げモーメント表示欄21ｄと、表示項目が許容剪断力であることを示す項目表示端21ｅと、許容剪断力の値を表示した剪断力表示欄21ｆと、によって構成されている。
【００９２】
上記の如く構成された基礎図面セット21では、目的の工業化住宅に於ける基礎構造を設計する際に有利に使用することが可能である。即ち、目的の工業化住宅の構造計算を行なって、基礎梁に作用する応力、即ち、剪断力，曲げモーメントを算出し、算出された値を満足する基礎梁を選択して目的の工業化住宅の基礎構造を構成する基礎梁の設計を行なうことが可能である。
【００９３】
【発明の効果】
以上詳細に説明したように本発明に係る一体基礎設計方法では、基礎構造と地下室或いは地下車庫等の地下構造が一体化した一体基礎を簡単に設計することが出来る。特に、梁の断面形状，配筋量、及びフーチング又はスラブ及び壁の断面形状，配筋量が作業性を阻害することなく且つかぶり厚が適切な配筋量を設定することが出来る。
【００９４】
特に、基礎構造に於ける鉄筋の納まりが最も厳しくなる、部位と部位との交差部（例えば、梁と梁，梁とスラブ等）が基本的に二次元内での交差であるが、地下室や地下車庫を一体化した一体基礎構造では、更に鉛直方向の壁が加わるため、三次元内での交差となってより厳しい対応をせまられる。しかし、本発明の一体基礎設計方法を実施することによって、梁とフーチング或いはスラブ及び壁との交差部位に於ける鉄筋の接続を良好に収めることが出来るため有利である。
【００９５】
更に、目的の工業化住宅の基礎構造を設計する場合、該目的の工業化住宅の構造計算を行なって各部の応力を算出し、夫々算出された応力を満足する許容剪断力及び、又は許容曲げモーメントを発揮し得る梁及びフーチング或いはスラブ及び壁を選択し、選択された各梁及びフーチング或いはスラブ及び壁を組み合わせることで、目的の工業化住宅に最適な基礎構造を設計することが出来る。
【００９６】
また本発明に係る一体基礎図面セットでは、梁断面図と、梁数値表と、スラブ断面図と、スラブ数値表が記載されているため、目的の工業化住宅の構造計算を行なって各部の応力を算出した後、該一体基礎図面セットを参照して算出した数値を満足する許容剪断力及び、又は許容曲げモーメントを発揮し得る梁とフーチング，スラブ，壁を選択すると共に組み合わせることで、目的の一体基礎を設計することが出来る。
【００９７】
更に、本発明に係る設計方法を実行することによって、鉄筋相互の干渉がなくなり、且つ鉄筋どうしの必要間隔も確保出来るため、工事に際しコンクリートの回り込みが良くなる。この結果、より密実なコンクリートを打設することが可能となり、構造物の安全性を向上することが出来る。特に、従来は鉄筋が混雑することによりコンクリートの回り込みをあまり期待出来ないため、スラブ，壁等の部位に分割して部位毎にコンクリートを打設せざるを得ない場合が生じたが、本発明の設計方法を実行することによって、スラブ，壁等の部位を一度のコンクリート打設により施工することが出来る。このため、施工手間が軽減し、分割打設の際に発生するコンクリートの継目がなくなり、コンクリート自体を一体化させて堅牢な地下一体構造を実現することが出来る。
【図面の簡単な説明】
【図１】  地下室を有する一体基礎の構成を説明する図である。
【図２】  地下車庫を有する一体基礎の構成を説明する図である。
【図３】  立上部が偏心した偏心梁の構成を説明する図である。
【図４】  地下室を有する一体基礎を対象とした一体基礎図面セットを説明する図である。
【図５】  地下車庫を有する一体基礎を対象とした一体基礎図面セットを説明する図である。
【図６】  基礎図面セットを説明する図である。
【符号の説明】
Ａ                          一体基礎
Ｂ                          基礎構造
Ｃ                          地下室
Ｄ                          地下車庫
Ｅ                          ドライエリア
Ｆ                          開口部
１                          梁
１ａ                        立上部
２                          フーチング
３                          スラブ
３ａ                        耐圧スラブ
３ｂ                        天井スラブ
４                          壁
５                          鉄筋
６                          補助筋
７                          アンカーボルト
８                          立上補強筋
８ａ                        縦筋
８ｂ                        横筋
10ａ，10ｂ                  一体基礎図面セット
11                          地下壁リスト
12                          １階スラブリスト
13                          耐圧スラブリスト
14                          １階梁リスト
15                          基礎梁リスト
11ａ，12ａ，13ａ            図面部
11ｂ，12ｂ，13ｃ            項目表示欄
11ｃ，12ｃ，13ｃ            縦筋欄
11ｄ，12ｄ，13ｄ            曲げモーメント表示欄
14ａ，15ａ                  図面部
14ｂ，15ｂ                  梁せい表示欄
14ｃ，15ｃ                  項目表示欄
14ｄ，15ｄ                  主筋欄
14ｅ，15ｅ                  曲げモーメント表示欄
14ｆ，15ｆ                  項目表示端
14ｇ，15ｇ                  主筋ピッチ欄
14ｈ，15ｈ                  剪断力表示欄
20                          基礎図面セット
21                          地中梁リスト
21ａ                        図面部
21ｂ                        項目表示欄
21ｃ                        主筋欄
21ｄ                        曲げモーメント表示欄
21ｅ                        項目表示端
21ｆ                        剪断力表示欄
【図１】
0004651223.tif 000002
【図２】
0004651223.tif 000003
【図３】
0004651223.tif 000004
【図４】
0004651223.tif 000005
【図５】
0004651223.tif 000006
【図６】
0004651223.tif 000007